(57)【要約】  超小型吊り下げ式乾燥装置は、衣類を掛ける本体を含む。本体に空洞（０）が設けられ、空洞（０）内に乾燥気流を形成する加熱通風装置が設けられる。本体に、衣類を配置する搭載部（３）が少なくとも１つ設けられ、搭載部（３）は前記空洞（０）と通じ、搭載部（３）に乾燥気流を衣類に吹き付ける排気口（９）が設けられる。上記設置により、乾燥装置中に高温の乾燥気流を形成することができ、乾燥気流は排気口（９）から搭載部（３）の衣類に吹き付けられる。これにより乾燥気流は衣類と直接接触し、衣類を乾燥させる目的を実現する。さらに、本発明の構造は簡単で、効果は顕著であり、幅広い使用に適している。【選択図】図１
2018516670.tif 000002
【特許請求の範囲】
【請求項１】
衣類を掛ける本体を含む超小型吊り下げ式乾燥装置であって、本体に空洞（０）が設けられ、空洞（０）内に乾燥気流を形成する加熱通風装置が設けられ；本体に衣類を配置する搭載部（３）が少なくとも１つ設けられ、搭載部（３）は前記空洞（０）と通じ、搭載部（３）に乾燥気流を衣類に吹き付ける排気口（９）が設けられることを特徴とする乾燥装置。
【請求項２】
前記本体が空洞（０）を構成する取付部（２）を含み、取付部（２）の最上部にフック（１）が設けられ、搭載部（３）は取付部（２）の最底部に設けられることを特徴とする、請求項１に記載の乾燥装置。
【請求項３】
前記取付部（２）の上部に空洞（０）と通じる吸気口（８）が設けられ；
加熱通風装置は送風機（５）および加熱装置（６）を含み、前記送風機（５）は吸気口（８）部分から空気を吸入して、空洞（０）中で上から下に流動する気流を形成し、加熱装置（６）は気流を加熱することを特徴とする、請求項２に記載の乾燥装置。
【請求項４】
取付部（２）の底部に回転可能な台座（４）が設けられ、前記搭載部（３）は台座（４）に取り付けられ、搭載部（３）は台座（４）と共に回転することができることを特徴とする、請求項３に記載の乾燥装置。
【請求項５】
台座（４）はモータ（７）により自動で回転し、モータ（７）の固定子は取付部（２）と固定され、モータ（７）の回転子は台座（４）と接続されて、台座（４）を回転させることを特徴とする、請求項４に記載の乾燥装置。
【請求項６】
搭載部（３）内部の中空が風道（１３）を構成し、風道（１３）の一端は空洞（０）と通じ、もう一端は密閉して設置され、搭載部（３）に、風道（１３）を外部と通じさせる少なくとも１つの排気口（９）が設けられることを特徴とする、請求項１から５のいずれか１項に記載の乾燥装置。
【請求項７】
搭載部（３）は水平に延伸し、中空部が風道を形成する支持管からなり；搭載部（３）の開口端は台座に設けられる通路を介して空洞（０）と通じ、空洞中で形成される乾燥気流を風道中に流入させることができることを特徴とする、請求項６に記載の乾燥装置。
【請求項８】
台座（４）と接続する搭載部（３）の接続端は開口して設置され、もう一端は密閉され；前記開口は、空洞（０）を搭載部（３）に形成される風道（１３）と通じさせ、取付部（２）中で形成される乾燥気流を搭載部（３）に設けられる排気口（９）部分から流出させ、搭載部（３）に載せた衣類を乾燥させることを特徴とする、請求項７に記載の乾燥装置。
【請求項９】
前記搭載部（３）はヒンジ（１２）により台座（４）と回転可能に接続され、搭載部（３）は、取付部（２）に垂直に開いて衣類を載せる第１状態と、取付部（２）に平行に折り畳まれて、収納、配置に便利な第２状態とを有することを特徴とする、請求項８に記載の乾燥装置。
【請求項１０】
前記取付部（２）は中空が設けられた柱状構造からなり、取付部（２）の側部に、搭載部（３）を折り畳んで収納するくぼみ（１０）が対応して設けられることを特徴とする、請求項９に記載の乾燥装置。
【発明の詳細な説明】
【技術分野】
【０００１】
本発明は洗濯乾燥分野の衣類乾燥装置に関し、具体的に超小型吊り下げ式乾燥装置に関する。
【背景技術】
【０００２】
既存の衣類乾燥装置は一般的に体積が比較的大きく、移動が不便であり、居住環境での使用にしか適さない。出張または旅行のとき、洗う必要がある小さい衣類がいくつかあると、それを乾燥処理する必要がある。しかし、外出先の宿、ホテルなど宿泊場所に衣類乾燥装置が備えられていないことはよくある。またはたとえ共用の衣類乾燥装置が備えられていても、衛生面で潜在的な危険が存在する。したがって、小型化された、携帯に便利な衣類乾燥装置を１つ備えておくことは、よく出かける人にとって必要なことである。
【０００３】
既存の技術案において、いくつかの解決案が示されている。
中国特許出願番号第２０１３１０５３６７４８号は、該案において、フックおよびフレームを含む回転物干しハンガーを説明している。前記フックは、フレームとマイクロモータを介して接続され、前記マイクロモータはフックに固定され、その出力端は下に向いて前記フレームと接続される。前記フックに電池が設けられ、前記電池は前記マイクロモータの回路と接続される。上記物干しハンガーで衣類を干すとき、マイクロモータを起動して回転させると、フレームも共に回転する。このようにしてフレームに干した衣類も共に回転し、衣類内の水は衣類から除かれ、干した衣類の乾燥速度を高める目的を達成する。
【０００４】
しかし、上記案の乾燥装置は、回転により生じた自然風で衣類を乾燥させるのに過ぎず、衣類の乾燥速度の上昇は比較的少ない。
【０００５】
さらに中国特許出願番号第２０１２１０１９９８９１号は、該案において、衣類を乾燥させることができる物干しハンガーを説明している。前記物干しハンガーは上支柱および下支柱を有し、上支柱および下支柱は互いに通じる中空の密閉管状構造である。上支柱の一側に注水孔が設けられ、注水孔にキャップが被せられる。下支柱の内部に支持台が設置され、支持台に電気加熱管が据え付けられ、電気加熱管にリード線および電源プラグが外部接続される。中空の物干しハンガーの下支柱内部に設置される支持台に、電気加熱管を据え付けることにより、電源を入れて物干しハンガーを加熱し、物干しハンガーの中空部に入れた水を加熱することを実現する。物干しハンガーの温度を高め、加熱した水の熱量を衣類に伝え、衣類の乾燥効率を高める目的を達成する。
【０００６】
しかし、上記案の乾燥装置を採用すると、ハンガーの中空部に液体を充填するため、使用過程でハンガーが衝突するなどの原因により液体が漏れることがあり、容易に故障し、安全面での潜在的な危険となる。
【０００７】
このことを考慮して、特に本発明を示す。
【先行技術文献】
【特許文献】
【０００８】
【特許文献１】中国特許出願番号第２０１３１０５３６７４８号明細書
【特許文献２】中国特許出願番号第２０１２１０１９９８９１号明細書
【発明の概要】
【発明が解決しようとする課題】
【０００９】
本発明が解決しようとする技術的問題は、既存技術の不足を克服することであり、超小型吊り下げ式乾燥装置を提供して、衣類を急速に乾燥させる目的を達成する。もう１つの目的は、衣類乾燥装置の小型化、携帯しやすさを実現することである。
【課題を解決するための手段】
【００１０】
上記技術的問題を解決するため、本発明が採用する技術案の基本的構想は以下の通りである。
超小型吊り下げ式乾燥装置は、衣類を掛ける本体を含む。本体に空洞が設けられ、空洞内に乾燥気流を形成する加熱通風装置が設けられる。本体に、衣類を配置する搭載部が少なくとも１つ設けられ、搭載部は前記空洞と通じ、搭載部に乾燥気流を衣類に吹き付ける排気口が設けられる。
【００１１】
さらに、前記本体は空洞を構成する取付部を含み、取付部の最上部にフックが設けられ、搭載部は取付部の最底部に取り付けられる。
【００１２】
さらに、前記取付部の上部に空洞と通じる吸気口が設けられる。空洞中に設けられる加熱通風装置は送風機および加熱装置を含み、前記送風機は吸気口部分から空気を吸入して、空洞中で上から下に流動する気流を形成し、加熱装置は気流を加熱する。好ましくは、前記送風機は吸気口部分に設けられ、加熱装置は送風機の下部に設けられる。
【００１３】
さらに、取付部の底部に回転可能な台座が設けられる。前記搭載部は台座に取り付けられ、搭載部は台座と共に回転することができる。
【００１４】
さらに、台座はモータにより自動で回転する。モータは空洞中に取り付けられ、取付部と固定され、モータの駆動端は台座と接続されて、台座を自動で回転させる。モータの固定子は空洞の内壁との間に一定の間隔を有し、乾燥気流を通過させる。モータの回転子は台座の通路と交差して設置され、これにより乾燥気流は通路に流入することができる。
【００１５】
好ましくは、台座内部に通路が設けられ、通路の一端は空洞と通じ、もう一端は搭載部を介して排気口と通じる。
【００１６】
好ましくは、台座は駆動モータにより軸を中心にして回転する。前記駆動モータは取付部に取り付けられ、台座および取付部の間は回転可能な差込み接続である。
【００１７】
さらに、間隔を開けて設置される複数の搭載部が台座に配置される。好ましくは、各搭載部は台座に対して中心対称であり、等間隔の角度で設置される。
【００１８】
さらに、搭載部内部の中空は風道を構成し、風道の一端は空洞と通じ、もう一端は密閉して設置される。搭載部に、風道を外部と通じさせる少なくとも１つの排気口が設けられる。
【００１９】
さらに、搭載部は水平に延伸し、中空部が風道を形成する支持管からなる。搭載部の開口端は台座に設けられる通路を介して空洞と通じ、空洞中で形成される乾燥気流を風道中に流入させることができる。さらに、搭載部の開口端を台座と接続し、搭載部を台座と共に回転させる。
【００２０】
さらに、台座と接続する搭載部の接続端は開口して設置され、もう一端は密閉される。前記開口は、空洞を搭載部に形成される風道と通じさせ、搭載部に複数の排気口が配置される。取付部中で形成される乾燥気流を排気口部分から流出させて、搭載部に載せた衣類を乾燥させる。好ましくは、搭載部の下側に複数の排気口が等間隔で配置される。
【００２１】
さらに、前記搭載部はヒンジにより台座と回転可能に接続される。搭載部は、取付部に垂直に開いて衣類を載せる第１状態と、取付部に平行に折り畳まれて、収納、配置に便利な第２状態とを有する。
【００２２】
さらに、前記取付部は中空が設けられた柱状構造からなり、取付部の側部に、搭載部を折り畳んで収納するくぼみが対応して設けられる。好ましくは、取付部の最上部にフックを収納するフック孔が設けられる。これにより、搭載部およびフックは取付部の内部に収納することができ、乾燥装置の収納、配置に便利である。
【発明の効果】
【００２３】
上記技術案を採用すると、本発明は既存技術と比較して、以下の有益な効果を有する。
１、上記設置により、乾燥装置中に形成される乾燥気流を排気口から搭載部の衣類に吹き付けて、乾燥気流を衣類と直接接触させ、衣類を乾燥させる目的を実現する。
２、乾燥装置の動作過程において、搭載部が水平に回転して自然風を形成し、搭載部の衣類の乾燥速度をさらに高める目的を達成する。
３、搭載部をヒンジにより取付部と接続することにより、搭載部を折り畳んで収納することができ、乾燥装置の占用空間を小さくする。さらに、取付部にフックを収納することができるフック孔を設けることにより、フックを伸縮させて収納することができ、乾燥装置全体の高さ寸法をさらに小さくする。
４、乾燥装置に複数の搭載部を設置することにより、乾燥装置の積載能力を高める。さらに、各搭載部を対称に配置することにより、乾燥装置の負荷は均等に分布し、乾燥装置の動作過程における安定性を高める。
さらに、本発明の構造は簡単で、効果は顕著であり、幅広い使用に適している。
【図面の簡単な説明】
【００２４】
【図１】図１は、本発明の実施例における乾燥装置の構造概要図である。
【図２】図２は、本発明の実施例における乾燥装置の収納状態の構造概要図である。
【図３】図３は、本発明の実施例における支持管の構造概要図である。
【図４】図４は、本発明のもう１つの実施例における乾燥装置の構造概要図である。
【発明を実施するための形態】
【００２５】
以下、図を組み合わせて、本発明の発明を実施するための形態について、さらに詳細に記載する。
【００２６】
図１から図４に示すように、本発明の実施例において、衣類を掛ける本体を含む超小型吊り下げ式乾燥装置を説明している。本体に空洞０が設けられ、空洞０内に乾燥気流を形成する加熱通風装置が設けられる。本体に衣類を配置する搭載部３が少なくとも１つ設けられ、搭載部３に乾燥気流を吹き出す排気口９が設けられる。
【００２７】
上記設置により、乾燥装置の空洞中に比較的高い温度の、一定の流動性を有する乾燥気流を形成し、乾燥気流は排気口から搭載部に載せた衣類に吹き付けられる。これにより乾燥気流は衣類と直接接触し、衣類を高温の乾燥気流により乾燥させる目的を実現する。
【００２８】
本発明の実施例において、前記本体は空洞０を構成する取付部２を含み、前記取付部２の上部に空洞０を外部と通じさせる吸気口８が設けられる。空洞０内に設置される加熱通風装置は、送風機５および加熱装置６を含む。前記送風機５が吸気口８部分から空気を吸入して、空洞０中で上から下に流動する気流を形成し、加熱装置６は流れる気流を加熱し、空洞中で高温乾燥気流を形成する。
【００２９】
好ましくは、前記送風機５は吸気口８部分に設けられ、加熱装置６は送風機５の下方に設けられ、送風機５部分で形成される気流の方向は上から下である。さらに、熱風は密度が比較的低いため、それ自体に上に移動する浮遊力が生じ、加熱装置部分の気流速度が遅くなる。これにより、気流および加熱装置の接触時間が長くなり、熱交換効率を高める目的を達成する。さらに好ましくは、前記加熱装置６は、既存技術における、気体を加熱する機能を有するいずれか１つの装置でよく、例えば、加熱管、電熱線などである。
【００３０】
さらに、搭載部３を取付部２の最低部に取り付ける。搭載部３内部の中空は風道１３を構成し、風道１３の一端は空洞０と通じ、もう一端は密閉して設置され、搭載部３に風道１３を外部と通じさせる複数の排気口９が設けられる。これにより、取付部中の下に流動する高温乾燥気流は、搭載部に形成される風道中に進入することができ、排気口から搭載部に載せた衣類に吹き付けられ、衣類を乾燥処理する。
【００３１】
本発明の実施例において、取付部２の最上部にフック１が設けられる。フックを設置することにより、乾燥装置全体を支柱に吊るすことができる。これにより乾燥装置は衣類を掛けて干す物干しハンガーを構成し、衣類を載せる面積を増大させる目的を達成する。
【実施例】
【００３２】
実施例１
図１に示すように、本実施例において、取付部２の底部に、相対回転可能な台座４が設けられ、前記搭載部３は台座４に取り付けられ、搭載部３は台座４と共に回転することができる。上記設置により、乾燥装置の動作過程において、搭載部は衣類を水平に回転させて自然風を形成し、衣類の乾燥速度を加速させる目的を達成する。
【００３３】
本実施例において、取付部２の底部に差込み接続する台座４が設けられ、台座４は相対回転可能に取付部２に取り付けられる。好ましくは、前記台座４は空洞０の底部を覆い、空洞０は密閉して設置される。前記取付部２に台座４を回転させるモータ７が取り付けられ、モータ７の本体は取付部２と固定され、回転端は台座４と固定接続される。これにより、台座４はモータ７により取付部２に相対して水平に回転する。
【００３４】
本実施例において、搭載部３は水平に延伸する支持管からなる。搭載部３の一端が台座４と接続、固定されることにより、搭載部３は台座４と共に回転し、搭載部３に載せた衣類を乾かす自然風が形成される。
【００３５】
乾燥装置の動作過程において、搭載部の衣類に対して、高温乾燥気流の吹き付け、および衣類の回転を同時に行うことにより、衣類の乾燥速度を顕著に上昇させる。
【００３６】
実施例２
図１から図３に示すように、本実施例において、台座４と接続する搭載部３の接続端は開口して設置され、もう一端は密閉される。前記開口は、空洞０を搭載部３に形成される風道１３と通じさせ、搭載部３に少なくとも１つの排気口９が配置される。取付部２中で形成される乾燥気流を排気口１３部分から流出させて、搭載部３に載せた衣類を乾燥させる。
【００３７】
好ましくは、図３に示すように、本実施例において、搭載部３の下側に複数の排気口９が等間隔に配置される。これにより乾燥気流は下に吹き出し、載せた衣類に直接吹き付けられ、衣類および乾燥気流が直接接触し、乾燥効率を高める目的を達成する。
【００３８】
当然、本出願において、乾燥効率を高めるため、搭載部の側部、上部に複数の排気口をそれぞれ設置することができる（図示せず）。様々なタイプの衣類の乾燥に適用され、乾燥効率をさらに高める。
【００３９】
本実施例において、台座４はモータ７により自動で回転する。モータ７の固定子は取付部２と固定され、モータ７の回転子は台座４と接続されて、台座４を回転させる。モータ７の固定子と空洞０の内壁との間に一定の間隙を有し、乾燥気流を通過させる。モータ７の回転子は台座４の通路と交差して設置され、乾燥気流は通路に流入することができる。台座４内部に通路が設けられ、通路の一端は空洞０と通じ、もう一端は搭載部３を介して排気口９と通じる。これにより、搭載部はモータにより自動で回転することができ、さらに空洞中で形成される乾燥気流は、台座の通路、搭載部の風道を経て排気口から流出することができる。
【００４０】
実施例３
図１および図２に示すように、本実施例において、搭載部３はヒンジ１２により台座４と回転可能に接続される。搭載部３は取付部２に垂直に広がり、衣類を載せる第１状態と、取付部２に平行に折り畳まれ、収納、配置に便利な第２状態とを有する。これにより、搭載部は折り畳んで収納、設置することができ、乾燥装置の占用空間を小さくする。
【００４１】
図２に示すように、本実施例において、前記取付部２は中空が設けられた柱状構造からなり、取付部２の外側壁に、搭載部３を折り畳んで収納するくぼみ１０が対応して設けられる。搭載部は全てくぼみ１０中に折り畳んで入れることができ、収納後の乾燥装置の側面は滑らかな柱状の面を呈する。乾燥装置の配置を便利にし、衝突して損傷するのを防止する。
【００４２】
好ましくは、本実施例において、前記ヒンジ１２はくぼみ１０の下端に設けられる。搭載部３をくぼみ１０の下側面の支持作用で、垂直に開いた第１状態にすることも；搭載部３をくぼみ１０の垂直面と接触させて位置制限し、垂直に収納した第２状態にすることもできる。
【００４３】
さらに、図２に示すように、本実施例において、取付部２の最上部に、フック１を伸縮させて収納するフック孔１１が設けられ、フック１を取付部２の内部に収納することができる。収納後の乾燥装置の高さを低くし、乾燥装置全体の寸法をさらに小さくする。
【００４４】
好ましくは、図２に示すように、フック孔１１は垂直に設置される孔である。フック１の下部にフック孔１１に挿入する垂直部を設けることにより、フック１をフック孔１１中で伸縮させることができる。さらに、フック孔１１の最上部は孔径が小さくなったネック部である。フック１の垂直部に、ネック部の孔径より長い、水平の突起が設けられ、フックがフック孔部分から脱落するのを防止する。
【００４５】
実施例４
本実施例において、台座４に間隔を開けて設置される複数の搭載部３が配置され、衣類を載せるスペースを増加させ、乾燥負荷量を高める目的を達成する。
【００４６】
図１および図４に示すように、本実施例において、台座４に径方向に沿って水平に延伸する複数の搭載部３が設けられ、各搭載部３は台座４に対して中心対称であり、等間隔の角度で設置される（図１に示すように、対称な２つの搭載部を設置することも；図４に示すように、９０度の間隔を開けて配置される４つの搭載部を設置することもできる）。これにより乾燥装置の負荷は均等に分布し、乾燥装置の動作安定性を高める目的を達成する。
【００４７】
さらに、本実施例において、台座４に設置される搭載部３の具体的な数量は、需要に基づいて設定することができ、送風機および加熱装置の出力を制御する前提で、ユーザの需要を満たす。
【００４８】
上記実施例における実施案はさらに組み合わせるか、または置換することができる。さらに実施例は本発明の好ましい実施例を記載したに過ぎず、本発明の構想および範囲を限定しない。本発明の設計の発想を逸脱しない前提で、当業者が本発明の技術案に対して行う各種の変更および改良は、いずれも本発明の保護範囲に属する。
【符号の説明】
【００４９】
１  フック
２  取付部
３  搭載部
４  台座
５  送風機
６  加熱装置
７  モータ
８  吸気口
９  排気口
１０  くぼみ
１１  フック孔
１２  ヒンジ
１３  風道
【図１】
2018516670.tif 000003
【図２】
2018516670.tif 000004
【図３】
2018516670.tif 000005
【図４】
2018516670.tif 000006
【国際調査報告】
2018516670.tif 000007
2018516670.tif 000008
2018516670.tif 000009
2018516670.tif 000010
2018516670.tif 000011
2018516670.tif 000012